(57)【要約】【課題】引出しに対する組み付けを容易に行なえるようにした引出しのロック装置を提供する。【解決手段】引出しの前板部の前面の開口を覆う化粧板に取り付けられるレバー取り付け枠５内に取っ手となり水平軸芯の周りで回動するレバーを設け、前板部の片側端部における後面板の内側に位置するように設けられるフック取り付け体１９には水平軸芯の周りで回動自在に支持されてフック２１を取り付け、フック取り付け体１９から後方に突出するフック２１の先端爪部２０は引出しを収納するケーシング本体の前端近傍内側に設けられる受け部材の係止面に係止するように構成され、レバー取り付け枠５の背面側にはレバーの動きにより水平軸芯の周りで回転する回転板１１を備え、この回転板１１と前記フック２１とをワイヤー１４で繋いで連動させ、レバーの押し上げ操作によりフック２１の先端爪部２０と受け部材の係止面との係止を解除するように構成した。【選択図】図３
2010046100.tif 000002
【特許請求の範囲】
【請求項１】
引出しの前板部の前面の開口を覆う化粧板に取り付けられるレバー取り付け枠内に取っ手となり軸芯の周りで回動するレバーを設け、前板部の片側端部における後面板の内側に位置するように設けられるフック取り付け体には軸芯の周りで回動自在に支持されてフックを取り付け、フック取り付け体から後方に突出するフックの先端爪部は引出しを収納するケーシング本体の前端近傍内側に設けられる受け部材の係止面に係止するように構成され、前記レバー取り付け枠の背面側にはレバーの動きにより軸芯の周りで回転する回転板を備え、この回転板と前記フックとをワイヤーで繋いで連動させ、レバー操作によりフックの先端爪部と受け部材の係止面との係止を解除するように構成したことを特徴とする引出しのロック装置。
【発明の詳細な説明】
【技術分野】
【０００１】
本発明は、書類棚や薬品棚などのケーシング本体に設けられる引出しが衝撃などによって勝手に開かないようにした引出しのロック装置に関するものである。
【背景技術】
【０００２】
従来のこの種引出しのロック装置としては、例えば特許文献１に開示されているように、引出しの前面板の前面に左右軸回りに枢設したレバーの後面に下向フックを突設し、前面板内に枢設した左右方向を向くクランク軸の要所に、その軸線と偏位して、上記下向フックと当接しうるクランク部を設けるとともに、クランク軸の端部に、軸線と直交する駆動部を設け、かつ前面板の内側端に枢設した上下方向を向くラッチ軸の一端に、水平をなして上記駆動部と交差する従動部を設けるとともに、ラッチ軸の他端に、後方を向くラッチを設け、そのラッチは、ばねの力により、常時はキャビネットの内側面に設けた係止体に係止しているが、レバーを前向回動することにより、係止体より離脱するようにしたものが知られている。
【特許文献１】特開平９−２１５５４１号公報
【発明の開示】
【発明が解決しようとする課題】
【０００３】
上記特許文献１に記載のロック装置の構成では、クランク軸のクランク部をフックと当接させるとともに、クランク軸の端部に軸線と直交するように設けた駆動部を前面板の内側端に枢設した上下方向を向くラッチ軸の一端の従動部と交差させるという組み立てが、レバーを引出しに取り付ける際に必要であり、組み立てに手間がかかるという問題があった。また、引出しには様々な幅サイズのものがあり、その都度そのサイズに合うクランク軸を用意しなくてはならないという問題があった。
【０００４】
本発明の目的は、このような課題を解決するものであり、引出しに対する組み付けを容易に行なえるようにした引出しのロック装置を提供することにある。
【課題を解決するための手段】
【０００５】
本発明の請求項１に記載の引出しのロック装置は、引出しの前板部の前面の開口を覆う化粧板に取り付けられるレバー取り付け枠内に取っ手となり軸芯の周りで回動するレバーを設け、前板部の片側端部における後面板の内側に位置するように設けられるフック取り付け体には軸芯の周りで回動自在に支持されてフックを取り付け、フック取り付け体から後方に突出するフックの先端爪部は引出しを収納するケーシング本体の前端近傍内側に設けられる受け部材の係止面に係止するように構成され、前記レバー取り付け枠の背面側にはレバーの動きにより軸芯の周りで回転する回転板を備え、この回転板と前記フックとをワイヤーで繋いで連動させ、レバー操作によりフックの先端爪部と受け部材の係止面との係止を解除するように構成したことを特徴とする。
【発明の効果】
【０００６】
以上のように、本発明の引出しのロック装置は、レバー取り付け枠に内蔵されたレバーとフック取り付け体に内蔵されたケーシング本体側の受け部材の係止面に先端爪部が係止するフックとをワイヤーで繋いで連動させるように構成されているので、ワイヤーで繋がれたレバー取り付け枠側とフック取り付け体側をそれぞれ引出しに組み付けるだけで良く、引出しに対する組み付けを容易に行なえ、組み立て作業性が向上する引出しのロック装置を提供することができる。そして、この引出しのロック装置を採用することにより振動や衝撃などによって引出しが勝手に開くのを不可能とし、またレバー取り付け枠側とフック取り付け体側を可撓性のあるワイヤーで繋いで連動させるようになっているので、レバー取り付け枠に対するフック取り付け体の取り付け位置に制限がなく、各幅サイズの引出しに対応できる。
【発明を実施するための最良の形態】
【０００７】
以下、本発明の一実施の形態を、図１〜図１４を用いて具体的に説明する。
図において、１は複数段の引出し２を備えたスチール製の薬品棚で、この薬品棚１の各引出し２の前板部３には中央部にそれぞれ取っ手となるレバー４が設けられる。各引出し２におけるレバー４は前面が開口するレバー取り付け枠５内に位置して水平軸芯の周りで回動自在に軸６によってレバー取り付け枠５に支持されている。詳しくは、軸６はレバー取り付け枠５の後部上端に設けた両側の軸受け部７，７と、この両側の軸受け部７間に挟まれて位置するようにレバー４の後部上端に設けた軸受け部８に挿通されている。そして、レバー４を支持する軸６にはレバー取り付け枠５の上端壁５ａの内面に対しレバー４を開く方向に付勢するコイルばね９がレバー４の軸受け部８間で嵌められ、レバー４の中央の軸受け部８から後方に延びる突出片１０にコイルばね９の中間突出片９ａを当接させ、レバー取り付け枠５の前記軸受け部７，７よりも後側における上面にコイルばね９の両端突出片９ｂを当接させている。これによりレバー４はレバー取り付け枠５の上端壁５ａの内面に対し開く方向に付勢されることになる。前記レバー取り付け枠５の前記軸受け部７，７よりも後側における上面には一箇所で前記レバー４の突出片１０の下面に当接する回転板１１を水平軸芯の周りで正逆回転自在に支持するための軸受け部１２が設けられ、この軸受け部１２に軸１３で取り付けられレバー取り付け枠５の背面側に位置する回転板１１の下端にはワイヤー１４の一端が繋がれている。ワイヤー１４はチューブ１５内に収納されてチューブ１５内を長さ方向に摺動可能となっており、チューブ１５の一端側はレバー取り付け枠５の背面に突設されたブラケット１６に固定され、この固定部からワイヤー１４の一端が突出して回転板１１に繋がれる。チューブ１５の他端側は引出し２の側板部１７から両側に突出する前板部３の片側端部における後面板１８の内側に取り付けられるフック取り付け体１９の下端に支持され、フック取り付け体１９の上側部内に水平軸芯の周りで回動自在に支持されフック取り付け体１９から後方に先端爪部２０が突出するフック２１の下端にチューブ１５の他端側から突出するワイヤー１４の他端が結合されている。なお、フック２１は先端爪部２０が下向きに力が掛かるようにフック取り付け体１９内に設けたコイルばね２２により付勢されている。２３はフック２１の下向きへの回動を一定角度で止めるためにフック取り付け体１９にフック２１の後端上面が当接するように形成したストッパー面である。ところで、前記レバー取り付け枠５は引出し２の前板部３の前端開口を閉じる化粧板２４に形成されている横向きの取り付け孔２５に嵌め込まれ、レバー取り付け枠５の前端部の外周裏面が取り付け孔２５の周囲外面に当接し、レバー取り付け枠５の背面下端にレバー取り付け枠５の前端部の外周裏面に近接して設けた挟持部２６により取り付け孔２５の周囲の下端部を挟持するようにして化粧板２４と結合される。また、前記フック取り付け体１９は、レバー取り付け枠５が取り付けられた化粧板２４で前板部３の前面を覆う前に前板部３の片側端部における後面板１８の内側に位置させ、フック取り付け体１９の後面における上下両端に設けた係止爪２７，２８を後面板１８の上下の孔１８ａ，１８ｂより後方に突出させ後面板１８の孔１８ａ，１８ｂに係止させて取り付けられるものである。フック２１の先端爪部２０側は前記上側の孔１８ａから後方に飛び出した状態で動作するように組み立てられる。引出し２が収められる薬品棚本体（ケーシング本体）２９の前端近傍内側には引出し２を閉じたときに引出し２の前板部３の後面板１８を当接させる受け部３０が設けられ、この受け部３０の内側面に前記フック２１の先端爪部２０を係止させ引出し２を閉じた状態でロックする受け部材３１が取り付けられる。この受け部材３１の背面、つまり受け部３０の内側面に対向する面には前後両端に係止爪３２，３３が設けられ、この係止爪３２，３３を受け部３０の内側面に形成した前後の孔３０ａ，３０ｂに係止させて受け部材３１が取り付けられる。受け部材３１の係止爪３２，３３が設けられた面とは反対の面には背面に係止面３４が形成され、前記フック２１が下向きに回動した状態においてフック２１の先端爪部２０が係止面３４に係止して引出し２のロック状態を保持するように構成されている。
【０００８】
以上述べたフック取り付け体１９の取り付けおよび受け部材３１の取り付けは前述のようにレバー取り付け枠５が取り付けられた状態の化粧板２４で前板部３の前面を覆う前に行なわれるのであって、フック取り付け体１９および受け部材３１の取り付けが完了した後で化粧板２４を前板部３の前面を覆うように取り付ければ良い。
【０００９】
上記構成において、引出し２は閉じられた状態ではフック２１の先端爪部２０が受け部材３１の係止面３４に係止して引出し２のロック状態が保持されており、引出し２を引き出すときは前記レバー取り付け枠５内のレバー４を手の指でレバー取り付け枠５の上端壁５ａの内面に近づける方向に押し上げることにより前記突出片１０により回転板１１を押し上げるように回転させ、それにより前記ワイヤー１４を介してフック２１が連動し、フック２１を先端爪部２０が受け部材３１の係止面３４から外れる方向に引き上げ、先端爪部２０と係止面３４とのロックが解除されて引出し２を引き出すことができる。レバー４に対する手の指による押し上げ力を解除するとレバー４は前記コイルばね９の付勢力により下動して、前記ワイヤー１４により連動するとともにコイルばね２２により付勢力により前記フック２１は先端爪部２０が下向きに回動する。つまり、引出し２が引き出されているときはこのような状態となっており、引出し２を薬品棚本体２９内に押し込むと前記フック２１の先端爪部２０が前記受け部材３１の係止面３４に係止し引出し２がロック状態となる。
【図面の簡単な説明】
【００１０】
【図１】本発明の一実施の形態における薬品棚の斜視図である。
【図２】同薬品棚の引出しに設けられるロック装置の一方向から見た斜視図である。
【図３】同薬品棚の引出しに設けられるロック装置の他方向から見た斜視図である。
【図４】同ロック装置のレバー取り付け枠を引出しの前板部の化粧板に取り付ける前の状態を示す斜視図である。
【図５】同ロック装置のレバー取り付け枠を引出しの前板部の化粧板に取り付けた状態を示す斜視図である。
【図６】同ロック装置のフック取り付け体を引出しの前板部の片側端部に取り付けた状態を示す斜視図である。
【図７】同ロック装置を取り付けた引出しの前方からの斜視図である。
【図８】同ロック装置のレバー取り付け枠の取り付け部の縦断面図である。
【図９】同ロック装置のフック取り付け体の取り付け部を後方から見た斜視図である。
【図１０】同ロック装置のフック取り付け体と対をなす受け部材の斜視図である。
【図１１】同ロック装置のフック取り付け体と対をなす受け部材を薬品棚本体の前端近傍内側に取り付けた状態を示す横断面図である。
【図１２】同ロック装置が取り付けられた引出しが薬品棚本体に収納された状態を示す横断面図である。
【図１３】同ロック装置が取り付けられた引出しが薬品棚本体に収納された状態を示す正面図である。
【図１４】図１３のＸ−Ｘ断面図である。
【符号の説明】
【００１１】
１      薬品棚
２      引出し
３      前板部
４      レバー
５      レバー取り付け枠
５ａ    上端壁
６      軸
９      コイルばね
１０      突出片
１１      回転板
１３      軸
１４      ワイヤー
１８      後面板
１９      フック取り付け体
２０      先端爪部
２１      フック
２２      コイルばね
２４      化粧板
２５      取り付け孔
２９      薬品棚本体
３０      受け部
３１      受け部材
３４      係止面
【図１】
2010046100.tif 000003
【図２】
2010046100.tif 000004
【図３】
2010046100.tif 000005
【図４】
2010046100.tif 000006
【図５】
2010046100.tif 000007
【図６】
2010046100.tif 000008
【図７】
2010046100.tif 000009
【図８】
2010046100.tif 000010
【図９】
2010046100.tif 000011
【図１０】
2010046100.tif 000012
【図１１】
2010046100.tif 000013
【図１２】
2010046100.tif 000014
【図１３】
2010046100.tif 000015
【図１４】
2010046100.tif 000016